【事件の表示】
　特許第２９９３１４１号「画像記録装置」の請求項１、２に係る特許に対する特許異議の申立てについて、次のとおり決定する。
【結　論】
　訂正を認める。
　特許第２９９３１４１号の請求項１ないし２に係る特許を維持する。
【理　由】
１．手続の経緯
　本件特許第２９９３１４１号に係る出願は、平成３年１月２８日に出願され（特願平３−２６９３０号）、平成１１年１０月２２日に特許の設定登録がなされ、その後、特許異議申立人内山充より請求項１ないし２に対して特許異議の申立がなされ、取消理由通知がなされ、その指定期間内に訂正請求がなされ、平成１３年５月２５日に、訂正を認める、請求項１ないし２に係る特許を取り消す、とする決定がなされたところ、東京高等裁判所において決定取消の判決（平成１３年（行ケ）第３２０号、平成１４年３月１８日判決言渡）があったので、本件についてさらに審理する。
　
２．訂正の適否についての判断
２．１　訂正事項
(a）訂正事項ａ
　特許請求の範囲の請求項１の記載を以下のとおり訂正する。
「【請求項１】　ＯＨＰ用紙と合紙を交互に排出するＯＨＰ合紙機能を備えた画像記録装置において、合紙として用いる用紙のサイズを選択する合紙サイズ設定ボタンと、ＯＨＰ合紙機能が選択されたことを条件として、画像記録されたＯＨＰ用紙と前記合紙サイズ設定ボタンで選択されたサイズの合紙を交互に排出する動作と、前記合紙とは別の用紙へのＯＨＰ用紙の画像と同一画像の画像記録を会議資料用の必要枚数につき行う動作とを、一連に実行する制御手段と、を有する画像記録装置。」
(b）訂正事項ｂ
　特許請求の範囲の請求項２の記載を以下のとおり訂正する。
「【請求項２】　ＯＨＰ用紙と合紙を交互に排出するＯＨＰ合紙機能を備えた画像記録装置において、合紙として用いる用紙のトレイを選択する合紙トレイ設定ボタンと、ＯＨＰ合紙機能が選択されたことを条件として、画像記録されたＯＨＰ用紙と前記合紙トレイ設定ボタンで選択されたトレイの合紙を交互に排出する動作と、前記合紙とは別の用紙へのＯＨＰ用紙の画像と同一画像の画像記録を会議資料用の必要枚数につき行う動作とを、一連に実行する制御手段と、を有する画像記録装置。」
(c）訂正事項ｃ
　願書に添付された明細書（以下、「特許明細書」という。）の段落【０００４】の記載を以下のとおり訂正する。
「【０００４】【課題を解決するための手段】　上記発明の目的は次の構成によリ達成される。すなわち、請求項１の発明は、ＯＨＰ用紙と合紙を交互に排出するＯＨＰ合紙機能を備えた画像記録装置において、合紙として用いる用紙のサイズを選択する合紙サイズ設定ボタンと、ＯＨＰ合紙機能が選択されたことを条件として、画像記録されたＯＨＰ用紙と合紙サイズ設定ボタンで選択されたサイズの合紙を交互に排出する動作と合紙とは別の用紙へのＯＨＰ用紙の画像と同一画像の画像記録を会議資料用の必要枚数につき行う動作とを、一連に実行する制御手段とを有する構成にある。また、請求項２の発明は、ＯＨＰ用紙と合紙を交互に排出するＯＨＰ合紙機能を備えた画像記録装置において、合紙として用いる用紙のトレイを選択する合紙トレイ設定ボタンと、ＯＨＰ合紙機能が選択されたことを条件として、画像記録されたＯＨＰ用紙と合紙トレイ設定ボタンで選択されたトレイの合紙を交互に排出する動作と、合紙とは別の用紙へのＯＨＰ用紙の画像と同一画像の画像記録を会議資料用の必要枚数につき行う動作とを、一連に実行する制御手段とを有する構成にある。」
(d）訂正事項ｄ
　特許明細書の段落【０００２】を以下のとおり訂正する。
「【０００２】　【従来の技術】
　ＯＨＰ（over head projector用paper）用紙に原稿をコピーしてＯＨＰを作成し、作成された各ＯＨＰ上に自動的に白紙をセットする機能をＯＨＰ合紙（あいし）機能という。この機能を有する複写機は、次のような手順でＯＨＰ合紙作成作業を実行していた。まず、ＯＨＰ用紙を複写機本体の複数の用紙トレイのうちで、後述の合紙トレイを除いたいずれかの用紙トレイにセットしておき、ユーザは手動でＯＨＰ用紙のある用紙トレイをコンソールバネル上のボタンで選択し、これに原稿のコピーを行う。作成されたＯＨＰが排出トレイに排出された後に、特定の用紙トレイ中の用紙を合紙として用いるためにコピーをしないで排出トレイに排出する。このようなＯＨＰ合紙機能の一例として、特開平１−１１７１４１号公報には、自動間紙モードセレクトキーと、自動間紙モードにおいて使用される間紙を有するカセットを選択する間紙給紙部選択キーとを備えた作像装置が開示されている。」と訂正する。
(e）訂正事項ｅ
　特許明細書の段落【０００６】を以下のとおり訂正する。
「【０００６】【実施例】　本発明の一実施例を図面と共に説明する。なお、本実施例は複写機に適用したもので、べースマシンに両面自動原稿送り装置（以下、ＤＡＤＦという。）、ソータなどの付属装置が組み合わされて構成されるものである。ここで、べースマシンとは、一段以上の用紙トレイとマニュアルフィード用の手差しトレイを備え、プラテンガラス上に原稿をマニュアルでセットし、コンソールパネルにより設定したコピー条件でジョブを実行することのできる装置である。」
(f）訂正事項ｆ
　特許明細書の段落【０００７】を以下のとおり訂正する。
「【０００７】　複写機は、図１に示すように、ベースマシン１にＤＡＤＦ２、ソータ３が取付けられておリ、このべースマシン１はコンソールパネル４によって設定されたジョブに応じて付属装置を含む機構部を制御し、ＤＡＤＦ２で送られた原稿から読み取った画像処理を基に用紙トレイ部５から供給される指定サイズの用紙に対して画像処理を施した後、排紙処理を実行すると共に、ソータ３において画像処理された用紙の仕分けを行うように構成されている。」
(g）訂正事項ｇ
　特許明細書の段落【０００８】を以下のとおり訂正する。
「【０００８】　また、複写機の概略を図２を用いて説明する。べースマシン１内には感光ドラム７が配置されている。図において、感光体８は感光ドラム７外周面に層状に形成されている。この感光ドラム７は、矢印方向に回転するように図示しない駆動装置に連結されている。感光ドラム７の外周には、チャージコロトロン９、帯電除去装置１０、現像器１１，１２、転写コロトロン１３およびクリーニング装置１５が配置されている。なお、帯電除去装置１０は不要な複写画像が用紙に転写されないように消し込むためにチャージコロトロン９で帯電した感光体８の一部の帯電を除去するものである。」
(h）訂正事項ｈ
　特許明細書の段落【０００９】を以下のとおり訂正する。
「【０００９】　この複写機においては、感光ドラム７が矢印方向に回転するにつれて、感光体８がチャージコロトロン９によって一様に帯電された後、露光箇所１６で光の照射を受け静電潜像が形成される。露光箇所１６には、べースマシン１の上面に配置されたプラテンガラス１７上に載置された図示しない原稿の光像が入射されるようになっている。このために、露光ランプ１９と、これによって照明された原稿面の反射光を伝達する複数のミラー２０および光学レンズ２１とが配置されておリ、このうち所定のものは原稿の読み取りのためにスキャンされるようになっている。静電潜像が形成された感光体８は、その後、現像器１１，１２で現像される。ここで感光体８上に形成されたトナー像は、転写コロトロン１３により用紙上に転写され、ヒートロール２３およびプレッシャロール２４間で熱定着されて搬出される。一方、感光体８はクリーニング装置１５によりクリーニングされ再使用に供される。」
(i）訂正事項ｉ
　特許明細書の段落【００１０】を以下のとおり訂正する。
「【００１０】　一方、べースマシン１に配置されている用紙トレイ２５に収容されている用紙２７あるいは手差しトレイ２８に沿って手差しで送リ込まれる用紙２７は、送りロール２９あるいは３１によって送り出され、搬送ロール３２に案内されて感光ドラム７と転写コロトロン１３の間を通過する。このとき、トナー像が用紙２７上に転写される。転写後の用紙２７はヒートロール２３およびプレッシャロール２４の間を通過して熱定着される。そして、搬送ロール３２の間を通過して排出トレイであるソータ３に搬出される。なお、中間トレイ３３は両面または多重コピー用に用いられるものである。」
(j）訂正事項ｊ
　特許明細書の段落【００１２】を以下のとおり訂正する。
「【００１２】　図４は複写機のハードウェア構成が示されている。ユーザーインタフェース（以下、ＵＩと言う。）３９はコンソールパネル４にあるボタンの操作による設定／入カされたデータ処理を実行し、本機システムを管理するＭＡＩＮ　ＰＷＢＡ（以下「ＭＡＩＮ系」と称す）４０に入カデータを送ると共に、ユーザへの表示を行う。ＤＡＤＦコントローラ４１は、原稿の両面から画情報を読み取るために、この読み取リタイミングに合わせて原稿をプラテンガラス１７上に搬送するための制御を行う。」
(k）訂正事項ｋ
　特許明細書の段落【００１３】を以下のとおり訂正する。
「【００１３】　光学的読取リ装置（ＯＰＴ）コントローラ４２は、プラテンガラス１７上に搬送された原稿からユーザが指定した画情報の光学的な読取り制御を行う。帯電除去装置（ＩＳＩＬ）コントローラ４３は、原稿の画情報から不要な部分を消し込む処理、原稿の周辺を消す枠消し処理、原稿の画情報の中からの特定情報描出などの編集処理の制御を行う。画像記録装置（ＩＯＴ）コントローラ４４は、原稿から読み取られた画情報を基に画像処理を実行する際に、用紙２７の搬送制御、紙づまリ検知およびＺｅｒｏ回りである現像プロセス制御を管理する。」
(l）訂正事項ｌ
　特許明細書の段落【００１５】を以下のとおり訂正する。
「【００１５】　ソータコントローラ４６は、例えば２０ビンソータをＩＯＴからの仕分け指令によリ駆動し、べースマシン１から搬出される画像処理後の用紙２７を指定されたビンに貯えるための制御を行う。スティブルソータコントローラ４７は、ＩＯＴからの綴じ込み仕分け指令によりビンに貯えられた用紙２７を丁合した後にスティブルで綴じるための制御を行う。ライトレンズマネジャー（以下、ＬＬＭという。）４８は、システムの全体を統括管理しておリ、主に原稿の画像処理と用紙２７の搬送を時間的に一致させるためのシステムタイミング制御やユーザが設定するコピーモードなどのジョブ管理を行う。」
(m）訂正事項ｍ
　特許明細書の段落【００１７】を以下のとおり訂正する。
「【００１７】　上記のハードウェアは各機能ごとに独立したＣＰＵを備え、このＣＰＵと周辺ＬＳＩによリ電気回路基板ＰＷＢＡが構成されている。ここで、ＬＬＭ４８，ＳＣＰ４９およびＩＯＴはべースマシン１の制御系の中枢を成すもので、各機能を分担するＣＰＵと周辺ＬＳＩにより主制御回路基板４０を構成している。シリアルデータ通信プロセッサ（ＳＣＰ）４９は、ＵＩ３９，ＤＡＤＦ２，ＯＰＴおよびＩＳＩＬ１Ｏとのデータの送受をシリアル通信で行うと共に、ＬＬＭ４８との間のデータをパラレル通信によりやり取リするためのデータ処理を行う。特にＳＣＰ４９とＬＬＭ４８とのデータのやリ取りは、ＳＣＰ４９に内蔵されているデュアルポートＲＡＭ（図示せず。）を通して行われる。すなわち、ＬＬＭ４８は自分のアドレスマップ上に割リ付けられたＳＣＰ４９のデュアルポートＲＡＭをリード／ライトし、このＲＡＭをＳＣＰ４９がリード／ライトすることで情報の伝達を行っている。」
(n）訂正事項ｎ
　特許明細書の段落【００１８】を以下のとおり訂正する。
「【００１８】　次に本実施例の特徴部分であるＯＨＰ合紙機能について説明する。本実施例のべースマシン１は手差しトレイ（ＭＳＩ）２８と転写コロトロン１３およびソータ３の排出トレイがほぼ同一平面上にあるため、厚手の用紙であるＯＨＰは専ら、手差しトレイ２８よリベースマシン１の転写コロトロン１３へ搬送させる。そして、合紙はＯＨＰサイズと同じサイズの用紙２７がセットされている図２の用紙トレイ２５のいずれかをユーザがコンソールパネル４の操作ボタンによリ選択する。ＯＨＰのサイズはその使用頻度から本実施例ではＡ４Ｌ，Ａ４Ｓサイズに限定している。そして、まず、合紙用のサイズの用紙２７を該当する用紙トレイ２５から画像処理都を経由して、コピーをしないで排出トレイのあるソータ３に出力する。次いで、手差しトレイ２８から搬送されるＯＨＰ用紙にプラテンガラス１７上の原稿のコピーをとり、ＯＨＰとして合紙上に出力する。この動作をＯＨＰ用原稿のすべてについて繰り返す。」
(o）訂正事項ｏ
　特許明細書の段落【００１９】を以下のとおり訂正する。
「【００１９】　コンソールパネル４のＬＣＤ３６上に図５に示す応用画面を呼び出し、「ＯＨＰ合紙」の機能ボタン７０を押すことでＯＨＰ合紙モードに入ることができる。このＯＨＰ合紙モードの設定情報はＵＩ３９から、図４のＬＬＭ４８に出力され、ＬＬＭ４８のコントロール下でＩＯＴコントローラ４４によりべースマシン１が動作する。また、図６にＵＩ３９におけるＯＨＰ合紙機能選択時のフローチャートを示し、図７と図８にＬＬＭ４８におけるフローチャートを示す。また、図９にＬＬＭ４８とＩＯＴコントローラ４４とのＯＨＰ合紙の設定枚数１枚のときのシーケンスフロー図を示す。なお、ここで、ＬＥＦ（Long Edge Feed）は長辺側を先頭にした用紙搬送方式であり、ＳＥＦ（Short Edge Feed）は短辺側を先頭にした用紙搬送方式である。また、このシーケンスフロー図にはＯＨＰ合紙機能の主要なシーケンスのみを示している。」
(p）訂正事項ｐ
　特許明細書の段落【００２１】を以下のとおり訂正する。
「【００２１】　図７、図８はＬＬＭ４８におけるスタンバイ時のフローチャートであるが、ＯＨＰ合紙機能が選択されると手差しトレイ２８の用紙センサ（図示せず。）にＯＨＰ用紙があり（ステップ１２）、また、ＯＨＰ用紙と同一用紙サイズの合紙用の用紙２７がある用紙トレイ設定ボタン３５が押されて、その指定されたサイズの用紙が用紙トレイ２５中にあるかどうかの判断をする（ステップ１３）。なお、本実施例では合紙に用いる用紙２７のセットされている用紙トレイ２５をＵＩ３９が自動的に選択するが、ユーザが設定できるのは合紙の大きさのみでその搬送方向までは設定できない場合がある。その場合には、ＤＡＤＦ２を用いると、ＤＡＤＦ２は原稿のサイズのみならずその搬送方向（ＳＥＦかＬＥＦか）を検出できるので、ＤＡＤＦ２がプラテンガラス１７上に引き込んだ原稿とＯＨＰ用紙と同一搬送方向であるはずの合紙用の用紙２７の搬送方向が互いに相違していることが分かると、ＬＬＭ４８はベースマシン１をNot　Ready状態とし、ＵＩ３９にはＮｏ　Ｐａｐｅｒメッセージを出させる（ステップ１８，１９）。」
(q）訂正事項ｑ
　特許明細書の段落【００２３】を以下のとおり訂正する。
「【００２３】　また、合紙として用いる用紙２７の用紙トレイ２５があれば、それをＩＯＴコントローラ４４とＵＩ３９に知らせる。なお、手差しトレイ２８にセットされるＯＨＰ用の用紙２７とプラテンガラス１７上の原稿のサイズが互いに異なるときは、ＯＨＰ用紙と同一サイズの合紙用の用紙２７の情報を基にＯＨＰ用紙のサイズに合致するように、ＵＩ３９はコピー倍率を自動的に選択して設定することもできる（ステップ１７）。そして、ユーザがコピースタートボタン３５１を押すと、ＬＬＭ４８はベースマシン１にコピーの実行に移行させる（ステップ２３）。」
(r）訂正事項ｒ
　特許明細書の段落【００２４】を以下のとおり訂正する。
「【００２４】　そして、図９に示すコピー時のＬＬＭ４８の制御フローに進む。図８のステップ２３のコピーへの移行命令により、図９のステップ２４の合紙フィード開始をＩＯＴコントローラ４４に指令する。このとき、露光ランプ１９のスキャンは開始するが合紙にコピーがされないように感光体８のチャージはしない、なお、ここで、スキャンを行うのは、合紙搬送時のみスキャンを中止させることは、ベースマシン１の各動作部の動作のタイミングが合わせにくいので、それを防ぐために合紙搬送時もスキャンを行わせる。」
(s）訂正事項ｓ
　特許明細書の段落【００２５】を以下のとおり訂正する。
「【００２５】　合紙が排出トレイに排出されるとトレイを手差しトレイ（ＭＳＩ）２８に変えるようにＩＯＴコントローラ４４に送信する。そして、その旨の表示をＵＩ３９にするように送信する。このとき、コピー枚数用メータ（図示せず。）のビリングアップを中止させる。そして、ＯＨＰ用紙２７の手差しトレイ２８から画像処理部への搬送を開始させる。このときは、露光ランプ１９のスキャンと同時に感光体８のチャージも実行させる。そして、原稿面のコピーをしたＯＨＰが排出されると、再び用紙トレイ２５を合紙用のトレイに変えＩＯＴコントローラ４４とＵＩ３９に送信する。このときはコピー枚数用メータのビリングアップを行う。そして、ＤＡＤＦ２を用いる場合はすべての原稿のＯＨＰ合紙作成作業が終了するまで上記作業を繰り返す。」
(t）訂正事項ｔ
　特許明細書の段落【００２６】を以下のとおり訂正する。
「【００２６】　次に会議等で用いる資料作成時のＬＬＭ４８のＯＨＰ合紙機能のフローチャートを図１１に示す。ステップ４０〜４４は前記図９と同一手順を示す。そして、各原稿についてのＯＨＰ合紙作業が終了しても、設定枚数が１以上あると、各原稿とも設定枚数２枚目からはＯＨＰ用紙２７へのコピーは中止し、合紙用の用紙２７に当該原褐のコピーを行うために合紙トレイからのみ用紙をフィードする。このときは、露光ランプ１９のスキャン、感光体８のチャージ、排出トレイのソータ３の稼働をＩＯＴコントローラ４４に指示する。このときＯＨＰと合紙はソータ３のノンソートビン３０１に出力し、残りの複数の会議資料用のコピーされた用紙２７はソートビン３０２またはステイブル機能を選択して出力させることもできる。なお、図２に示すソータ３にはステイプラ３０３が用意されている。こうして、ＯＨＰ合紙モード中に複数枚の各原稿のコピーを行うことができる。」
(u）訂正事項ｕ
　特許明細書の段落【００２７】を以下のとおり訂正する。
「【００２７】　ＬＬＭ４８から、まず、ＯＨＰ合紙モードであることおよび合紙用の用紙トレイ２５の番号をＩＯＴコントローラ４４に出カする。ここで、ベースマシン１のコピースタートボタン３５１が押されると、ＬＬＭ４８は合紙用の用紙トレイ２５から合紙を画像処理部に搬送する命令をＩＯＴコントローラ４４に送信する。そして、合紙が図２に示すフィードセンサ７１を通過したこと、および、レジゲート（図示せず。）に到達したことをレジゲートセンサ７２で検出し、ＩＯＴコントローラ４４はＬＬＭ４８に送信する。その結果の原稿のスキャニングが可能になるので、ＬＬＭ４８はＩＯＴコントローラ４４にレジゲートを開いて合紙の搬送をさせる。このとき、ＯＰＴコントローラ４２の制御下には露光ランプ１９のスキャンを開始させる。ただし、前記したように合紙分についての感光体８のチャージはオフにしておく。合紙の後端をフューザ排出センサ７３が検出すると、そのことをＩＯＴコントローラ４４はＬＬＭ４８に出力する。次にＯＨＰ用紙のコピーモードであること、そしてＯＨＰ用紙トレイの番号、ＯＨＰ用紙のフィード命令をＩＯＴコントローラ４４に送信する。」
(v）訂正事項ｖ
　特許明細書の段落【００２８】を以下のとおり訂正する。
「【００２８】　ＩＯＴコントローラ４４は、前記合紙と同様の手順でＯＨＰ用紙のフィード情報をＬＬＭ４８に送り、また、ＬＬＭ４８はＩＯＴコントローラ４４にコピー命令を送る。このとき、コピー枚数メータ（図示せず。）のビリングアップを行うため、ＬＬＭ４８はビリングアップ命令をＩＯＴコントローラ４４に送る。また、上記ＯＨＰ合紙機能でコピー動作中にジャムが発生した場合に何ぺージまでコピーがされていたかが一目でわからないので、合紙またはＯＨＰにアノテータ機能を使用してぺージ番号をプリントするようにしてもよい。なお、原稿サイズ検知手段は、本実施例では図示しないフォトセンサがプラテンガラス１７の下部から原稿を照射することで行っている。また、ＤＡＤＦ２の場合は、原稿サイズ検知手段はＤＡＤＦ２内に設けられた原稿サイズセンサ（図示せず。）等である。」
　
２．２　訂正の目的の適否、新規事項の有無及び拡張・変更の存否
　訂正事項ａ及びｂは、請求項１、２における「ＯＨＰ合紙機能が選択されたことを条件として、画像記録されたＯＨＰ用紙と、前記合紙サイズ（トレイ）設定ボタンで選択されたサイズの合紙を交互に排出すると共に、前記合紙とは別の用紙へのＯＨＰ用紙の画像と同一画像の画像記録を会議資料用の必要枚数につき行う制御手段」の記載を「画像記録されたＯＨＰ用紙と…合紙を交互に排出する動作と、前記合紙とは別の用紙への…画像記録を…必要枚数につき行う動作とを、一連に実行する制御手段」と訂正することによって、制御手段が、画像記録されたＯＨＰ用紙と選択サイズ（トレイ）の合紙を交互に排出する動作と、前記合紙とは別の用紙へのＯＨＰ用紙の画像と同一画像の画像記録を会議資料の必要枚数につき行う動作とを、ＯＨＰ合紙機能が選択されたことを条件として、一連に実行するものであることを明確にしようとするものであるから、特許法第１２０条の４第２項但し書き第３号に規定する明りょうでない記載の釈明を目的とするものである。
　また、訂正事項ａ及びｂは、特許明細書の段落【００２６】に記載された内容をその根拠とするものであるから、訂正事項ａないしｂは、いずれも特許明細書の記載事項の範囲内の訂正であり、新規事項の追加に該当せず、実質的に特許請求の範囲を拡張しまたは変更するものではない。
　訂正事項ｃは、訂正事項ａ及びｂによる特許請求の範囲の訂正にともなって発明の詳細な説明の記載を整備したものであるから、特許法第１２０条の４第２項但し書き第３号に規定する明りょうでない記載の釈明を目的とするものである。また、特許明細書の記載事項の範囲内の訂正であり、新規事項の追加に該当せず、実質的に特許請求の範囲を拡張しまたは変更するものではない。
　訂正事項ｄないしｖは、いずれも、明らかな誤記を訂正したものに過ぎないから、特許法第１２０条の４第２項但し書き第２号に規定する誤記の訂正を目的とするものであり、また、特許明細書の記載事項の範囲内の訂正であり、新規事項の追加に該当せず、実質的に特許請求の範囲を拡張しまたは変更するものではない。
　
２．３　むすび
　以上のとおりであるから、前記訂正請求は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立についての判断
３．１　本件発明
　本件請求項１ないし２に係る発明は、訂正明細書の特許請求の範囲の請求項１ないし２に記載されたとおりのものである。
【請求項１】　「２．１　訂正事項ａ」参照
【請求項２】　「２．１　訂正事項ｂ」参照　
　
３．２　申立の理由の概要
　申立人内山充は、本件請求項１ないし２に係る特許発明に対して、証拠として甲第１号証（特開平１−１１７１４１号公報）および甲第２号証（特開平２−１４６５６９号公報）を提出し、本件請求項１ないし２に係る特許発明は、甲第１号証および甲第２号証に記載の発明に基づいて、当業者が容易に発明することができたものであり、特許法第２９条第２項の規定により特許を受けることができないものであるから、請求項１ないし２に係る特許は同法第１１３条第２号により取り消されるべきものである旨主張している。
　
３．３　当審の判断
ア　引用刊行物の記載事項
　特許異議申立人の提示した刊行物１（特開平２−１４６５６９号公報：甲第２号証）及び刊行物２（特開平１−１１７１４１号公報：甲第１号証）には、それぞれ以下の事項が記載されている。
　
刊行物１：特開平２−１４６５６９号公報
(1-a) 「本発明に係る画像形成装置では、第１画像形成制御手段による制御に基づいて、記録シートに対し画像形成が行われる。この場合には、第１画像形成手段が、原稿と露光部を第１方向に相対移動させて原稿に対し露光を行わせるとともに、給紙部から記録シートを供給して、画像形成部で画像形成を行わせる。一方、第２画像形成制御手段に基づいて、ＯＨＰシートへの画像形成が行われる。…(略)…。なお、第１画像形成制御手段と第２画像形成制御手段とは、いずれを先に作用させてもよい。」（第２頁右上欄第１６行〜左下欄第１９行）、及び
(1-b) 　画像記録装置の作動手順について、第４Ａ図乃至第４Ｄ図及び第５図を参照して、その第３頁左下欄第１９行〜第５頁右上欄第１９行に、「第４Ａ図において、図示しないメインスイッチをＯＮすれば、ステップＳ１においてテンキー４１の操作に基づきコピー枚数が入力される。ここでは仮に、「５」が設定されたとする。次にステップＳ２では、ＯＨＰモードキー４３が押されたか否かを判断する。このキー４３が押されていなければ通常の記録紙２９を用いたコピーモードであり、このキー４３が押されていればＯＨＰシート２７をも使用してコピーを行うＯＨＰモードへの移行を意味する。…(略)…。ステップＳ２においてＯＨＰモードキーが押されていれば、ステップＳ３に移行する。…(略)…。次に、ステップＳ４においてＯＨＰ枚数がテンキー４１の操作に基づいて入力される。ここでは仮に「２」が設定されたとする。そして、ステップＳ５に移行する。…(略)…。ステップＳ５或いはステップ５ａにおいて、コピーキー４２が押されればステップＳ６に移行する。…(略)…。このステップＳ６からステップＳ１２での処理が、実際に画像形成を行う前に行われる原稿の濃度、サイズを検出するためのプレスキャンであり、…(略)…。次に、第４Ｂ図のステップＳ１３に移行する。ステップＳ１３では、第２給紙ローラ３０を回転させ、給紙カセット２５から記録紙２９を画像形成部１４に供給する。…(略)…。ステップＳ１７では、撮像部１７により、画像形成が開始される。…(略)…。そして、ステップＳ２２では、コピー枚数のメモリーをデクレメントする。…(略)…。
次に、第４Ｃ図のステップＳ２３に移行する。ステップＳ２３では、ＯＨＰ枚数が０であるか否かを判断する。ここでは、ＯＨＰ枚数が仮に「２」に設定されているので、ステップＳ２４に移行する。…(略)…。ステップＳ２８では、第１給紙ローラ２８を回転させ、ＯＨＰシート２７の１枚を画像形成部１４側に供給する。…(略)…。次に、ステップＳ３４では、画像形成を開始する。…(略)…。そして、ステップＳ４２においてＯＨＰ枚数をデクレメントする。…(略)…。
次に、第４Ｄ図のステップＳ４３に移行し、コピー枚数が０であるか否かを判断する。この時点では、コピー枚数は「４」に設定されているので、第４Ｂ図のステップＳ１３に戻る。続いて、ステップＳ１３からステップＳ４２の動作を再び行う。…(略)…。次にステップＳ２３に移行するが、この時点では、ＯＨＰ枚数が「０」となっている。そこで、プログラムは、第４Ｄ図のステップＳ４４に移行する。ここでは、ＯＨＰシートに対するコピーは終了している。…(略)…。そして、ステップＳ４３に移行する。…(略)…。ここでは、コピー枚数は「２」に設定されているので、ステップＳ４３から第４Ｂ図のステップＳ１３に戻る。次に、ステップＳ１３からステップＳ２３、さらにステップＳ４４からステップＳ４９の処理を２回繰り返す。…(略)…。これによって、記録紙２９を用いた５枚のコピー及びＯＨＰシート２７を用いた２枚のコピーが排出トレイ３２上に得られたことになる。」と記載されている。
　ここで、前記摘記事項(1-a) から、ＯＨＰシートへの画像形成と記録シートへの画像形成とを行えることが把握され、前記摘記事項(1-b) から制御動作は、制御手段によって実行されており、また、ＯＨＰシートの画像と同一画像の画像が形成された記録紙が、会議資料用として使用され得ることは明らかである。
　よって、刊行物１には、
「ＯＨＰシートを排出するＯＨＰ機能を備えた画像形成装置において、ＯＨＰモードの選択がされたことを条件として、画像形成されたＯＨＰシートを排出する動作（第４Ｃ図におけるステップＳ２３乃至Ｓ４２）と、記録紙へのＯＨＰシートの画像と同一画像の画像形成を必要枚数（例えば５枚）につき行う動作（第４Ｂ図におけるステップＳ１３乃至Ｓ２２及び第４Ｄ図におけるステップＳ４３及びＳ４４乃至Ｓ４９）とを、実行する制御手段を有する画像形成装置。」が記載されているものと認められる。
　
刊行物２：特開平１−１１７１４１号公報
(2-a) 「本発明は、複写機、プリンタ等の用紙上に画像を形成する作像装置に関し、詳しくは、ＯＨＰ用紙等透光性用紙に作像した際に自動的に間紙を行なうことができる作像装置に関する。」（第１頁右下欄第１５〜１８行）、
(2-b) 「上カセット給紙部２０及び、下カセット給紙部２１には、各々用紙を収納したカセット２０ａ、２１ａが装着され」（第３頁左上欄第１７〜１９行）、
(2-c) 「第６図は、第５図の自動間紙モード処理ルーチン（ステップＳ３）の詳細を示すフローチャートである。選択されているカセット給紙部がＯＨＰ用紙を収納しているカセットであれば（ステップＳ１０）、コピーが１枚終了するたびに、非透光性用紙収納カセットが装着されていることを条件として、他のカセット給紙部から１枚通紙する（ステップＳ１２）。このようにして作像されたＯＨＰ用紙と作像されない通常の非透光性用紙（例えば白紙）が交互に排出される。尚、このようにしてＯＨＰ用紙間に挿入される非透光性用紙を間紙という。」（第４頁右下欄第８〜２０行）、
(2-d) 「手差し給紙部１９から給紙された用紙上に作像する場合であって、手差し給紙口４０にＯＨＰ用紙が挿入されたことが透過型センサ３３の出力信号及び接触型の用紙検出アクチュエータ３２の出力信号から判別されたとき、このＯＨＰ用紙上に作像後、上記操作パネル上のカセット給紙部選択キー３０９によって選択された給紙部から非透光性用紙が給紙され間紙されるようにしてもよい。この場合、カセット給紙部選択キー３０９は、手差し給紙部４０から挿入されたＯＨＰ用紙に対する間紙を行なうカセット給紙部を選択する間紙給紙部選択キーとして機能する。かかる間紙給紙部選択キーを使用すれば、オペレータが間紙に供される用紙のサイズ等を自ら選択することが可能であり、便宜である。」（第５頁左上欄第１０行〜右上欄第４行）、及び
(2-e) 「さらに、前記操作パネル３００上に自動間紙モードセレクトキー及び自動間紙モード表示ＬＥＤを配設し、このキー入力により、間紙モードが設定された場合にのみＯＨＰ用紙に対する作像終了後、白紙等を通紙してもよい。」（第５頁右下欄第８〜１２行）が、それぞれ図面と共に記載されている。
　ここで、非透過性の間紙（即ち合紙）を供給するカセット給紙部（２０又は２１）を、カセット給紙部選択キー（３０９）によって選択することは、間紙として用いる用紙のカセット（２０ａ又は２１ａ）即ちトレイの選択にほかならず、そして用紙のトレイの選択は、トレイに収納されている用紙のサイズを選択することにほかならない。
　よって、これらの記載から刊行物２には、
「ＯＨＰ用紙に自動的に間紙を行う作像装置において、間紙として用いるカセット給紙部を選択する間紙給紙部選択キーと、自動間紙モードが選択されたことを条件として、作像されたＯＨＰ用紙と、前記間紙給紙部選択キーで選択されたサイズの間紙を交互に排出する動作を実行する制御手段と、を有する作像装置」、及び
「ＯＨＰ用紙に自動的に間紙を行う作像装置において、間紙として用いるカセット給紙部を選択する間紙給紙部選択キーと、自動間紙モードが選択されたことを条件として、作像されたＯＨＰ用紙と、前記間紙給紙部選択キーで選択されたトレイの間紙を交互に排出する動作を実行する制御手段と、を有する作像装置」が記載されているものと認められる。
　
イ　対比・判断
(1）請求項１に係る発明について
　本件請求項１に係る発明（以下、「本件発明１」という。）と刊行物１に記載の発明（以下、「引用発明１」という。）とを対比すると、引用発明１における、「ＯＨＰシート」、「画像形成装置」、「ＯＨＰモード」、「画像形成されたＯＨＰシート」、及び「記録紙」が、それぞれ本件発明１における、「ＯＨＰ用紙」、「画像記録装置」、「ＯＨＰ機能」、「画像記録されたＯＨＰ用紙」、及び「合紙とは別の用紙」に相当することは明らかであるから、両者は表現は相違するが、「ＯＨＰ用紙を排出するＯＨＰ機能を備えた画像記録装置において、ＯＨＰ機能が選択されたことを条件として、画像記録されたＯＨＰ用紙を排出する動作と、合紙とは別の用紙へのＯＨＰ用紙の画像と同一画像の画像記録を会議資料用の必要枚数につき行う動作とを、実行する制御手段を有する画像記録装置」の点で一致し、以下の点で相違する。
相違点１：
　「画像記録されたＯＨＰ用紙を排出する動作」と、「合紙とは別の用紙へのＯＨＰ用紙の画像と同一画像の画像記録を会議資料用の必要枚数につき行う動作」とを、実行する制御手段が、本件発明１では、前記２つの動作を一連に実行する制御手段であるのに対し、引用発明１では、前記２つの動作を実行はしているが、一連に実行しているか否かは不明である点。
相違点２：
　ＯＨＰ機能が、本件発明１ではＯＨＰ合紙機能であるのに対して、引用発明１では単にＯＨＰ機能である点、すなわち、
本件発明１が、「ＯＨＰ用紙と合紙を交互に排出するＯＨＰ合紙機能を備えた画像記録装置において、合紙として用いる用紙のサイズを選択する合紙サイズ設定ボタンと、ＯＨＰ合紙機能が選択されたことを条件として、画像記録されたＯＨＰ用紙と、前記合紙サイズ設定ボタンで選択されたサイズの合紙を交互に排出する動作を実行する制御手段を有する」構成であるのに対し、引用発明１では、「ＯＨＰ用紙を排出するＯＨＰ機能を備えた画像記録装置において、ＯＨＰ機能が選択されたことを条件として、画像記録されたＯＨＰ用紙を排出する動作を実行する制御手段を有する」構成である点。
　
　そこで、前記相違点について検討するが、本件発明１および引用発明１の技術内容に関しては、上記判決において以下のとおり認定されたので、その認定に基づいて対比・判断をする。
(a）本件発明１の技術的内容については、上記判決で以下のとおり認定された。
『　本件発明１の要旨は、「画像記録されたＯＨＰ用紙と・・・合紙を交互に排出する動作」（以下「動作Ａ」という。）と、「合紙とは別の用紙への・・・画像記録を・・・必要枚数につき行う動作」（以下「動作Ｂ」という。）とを、「一連に実行する」と規定するところ、まず、当該文言自体から考えた場合、動作Ａと動作Ｂとは、それ自体はそれぞれに別個独立の動作として規定しつつ、その実行手順が順次連続的に行われることをいう趣旨と解するのが相当である。そして、このような解釈は、本件明細書の目的に関する記載、すなわち、「特開平１−１１７１４１号公報に開示された作像装置（注、ＯＨＰ合紙機能を持つ従来の画像記録装置）は、ＯＨＰ合紙機能が選択されたことを条件として、画像記録されたＯＨＰ用紙と、合紙を交互に排出するものの、その際、会議用コピーとして使用する合紙とは別の用紙へのＯＨＰ用紙の画像と同一画像の画像記録を会議資料用の必要枚数につき行う機能を有しておらず、作業効率に問題があった。そこで、本発明は、合紙機能が選択された場合に、会議用資料を作成する際の作業効率を向上させる画像記録装置を提供することを目的とする」（段落【０００３】）との記載にも沿うものである。 
　この点について、以下、念のため、本件明細書に示された実施例も参照して検討する。
　本件発明１に係る願書添付の図９の図示及び本件明細書の関連記載（段落【００１８】、【００１９】、【００２４】、【００２５】）によれば、本件発明１の「ＯＨＰ合紙モード」では、設定枚数を１枚とした場合、各原稿ごとに、順に、合紙のフィード開始、チャージオフ（コピーしない）、合紙の排出、トレイの変更（合紙トレイからＯＨＰ用紙トレイへ）、ＯＨＰ用紙のフィード開始、チャージオン（コピーする）、ＯＨＰ用紙の排出、トレイの変更（ＯＨＰ用紙トレイから合紙トレイへ）という一連のステップ２４〜２９が１回行われ、次いで、ステップ３０（原稿の終了の判定）及び同３１（次の原稿を引き込む）を経て、原稿の終了するまで、各原稿ごとに上記ステップ２４〜２９が繰り返されること、その結果、用紙の排出は、「合紙→原稿１の画像記録されたＯＨＰ用紙→合紙→原稿２の画像記録されたＯＨＰ用紙・・・」の順に行われることが認められる。　
　次に、「会議資料作成を伴うＯＨＰ合紙モード」について、本件明細書には、「次に会議等で用いる資料作成時のＬＬＭ４８のＯＨＰ合紙機能のフローチャートを図１１に示す。ステップ４０〜４４は前記図９と同一手順を示す。そして、各原稿についてのＯＨＰ合紙作業が終了しても、設定枚数が１以上あると、各原稿とも設定枚数２枚目からはＯＨＰ用紙２７へのコピーは中止し、合紙用の用紙２７に当該原褐（注、「原稿」の誤記と認める。）のコピーを行うために合紙トレイからのみ用紙をフィードする。・・・このときＯＨＰと合紙はソータ３のノンソートビン３０１に出力し、残りの複数の会議資料用のコピーされた用紙２７はソートビン３０２またはステイブル機能を選択して出力させることもできる。・・・こうして、ＯＨＰ合紙モード中に複数枚の各原稿のコピーを行うことができる」（段落【００２６】）との記載が認められる。そして、上記「ステップ４０〜４４は前記図９と同一手順を示す」の記載は、図９の「ステップ２４〜２９」と図１１の「ステップ４０〜４４」とが同一手順であることを示すことが明らかであるから、この記載及び図１１の図示によれば、「会議資料作成を伴うＯＨＰ合紙モード」においても、まず、ＯＨＰ合紙作業（ステップ４０〜４４）を実行し、次いで、これに連続して、会議用資料を必要枚数まで作成する（同４５、４７の繰返し）という作業が実行されること、その結果、排出トレイには、各原稿ごとに、合紙及び画像形成されたＯＨＰ用紙のセットと、必要枚数の会議用資料のセットが、順に排出されることが認められる。 
　そして、上記ＯＨＰ合紙作業（ステップ４０〜４４）が本件発明１に規定する動作Ａで、会議用資料を必要枚数まで作成する作業（ステップ４５、４７の繰返し）が動作Ｂにほかならないから、上記の実施例においても、動作Ａと動作Ｂとは、それぞれ独立した手順としつつ、これらが順次連続的に、換言すれば直列的に実行するものとされており、本件発明１が、これと異なる実行態様を含み得るとの趣旨の記載も見当たらない。 
　なお、このように動作Ａと動作Ｂとがそれぞれ独立した手順で行われる結果、排出トレイには、動作Ａに対応する合紙とＯＨＰ用紙、動作Ｂに対応する必要枚数の会議用資料とが、それぞれのセットして得られることは上記のとおりである。
　
　以上によれば、本件発明１の「一連に実行する制御手段」の意味は、それぞれ独立した手順である動作Ａと動作Ｂとを、順次連続的に、換言すれば直列的に実行する制御手段をいうものと解すべきである。したがって、ＯＨＰ合紙機能以外の点で本件発明１と引用発明１とが一致するといえるためには、刊行物１に、「画像記録されたＯＨＰ用紙を排出する動作」（動作ＡからＯＨＰ合紙機能を除いたもの。以下「動作Ａ′」という。）と、動作Ｂとを、上記の意味で「一連に実行する」制御手段が記載されていなければならない。 』
　
(b）これに対して、引用発明１については上記判決で以下のとおりに認定された。
『　刊行物１（甲第２号証）の〔発明が解決しようとする課題〕欄には、「普通紙とＯＨＰシートとに２回の原稿走査によって夫々複写を行う前記従来の構成では、露光部を２往復させる必要があるため、複写時間に充分な短縮を図ることができない。２種類の固体撮像素子を用いた前記従来の構成では、構造が複雑化し、製造コストが高くなるという問題がある。本発明の目的は、構造が複雑化せず、しかも複写時間を短縮できる画像形成装置を提供することにある」（２頁左上欄４行目〜１３行目）との記載が、〔作用〕欄には、「本発明に係る画像形成装置では、第１画像形成制御手段による制御に基づいて、記録シートに対し画像形成が行われる。この場合には、第１画像形成手段が、原稿と露光部を第１方向に相対移動させて原稿に対し露光を行わせるとともに、給紙部から記録シートを供給して、画像形成部で画像形成を行わせる。一方、第２画像形成制御手段に基づいて、ＯＨＰシートへの画像形成が行われる。この場合には、第２画像形成制御手段が、原稿と露光部を第２方向に相対移動させて原稿に対し露光を行わせるとともに、給紙部からＯＨＰシートを供給して、画像形成部で画像形成を行わせる」（２頁右上欄１６行目〜左下欄８行目）との記載が認められる。 
　
　上記記載によれば、刊行物１記載の発明は、露光部を一往復させ往動時に記録紙への記録動作を行う複写機において、普通紙とＯＨＰ紙との複写をそれぞれ往動時に行った場合、露光部を二往復させるために複写時間の短縮を図ることができないという問題に対処するため、露光部の往動時に普通紙への複写を行い、復動時にＯＨＰ紙への複写を行う構成とすることにより、一往復の間に普通紙とＯＨＰ紙とに複写を行い、構造の複雑化を伴うことなく複写時間を短縮するものであることが認められ、これに、刊行物１（甲第２号証）の第４Ａ〜Ｄ図、第５図の図示及びその関連記載（３頁左下欄１９行目〜５頁右上欄１９行目）を総合すれば、その具体的な動作手順は、所要のコピー枚数を、記録紙５枚、ＯＨＰ用紙２枚と設定した場合、以下の順に画像が形成されると同時に、画像形成された記録紙及びＯＨＰ用紙は、そのままその順に、すなわち、下記に下線部で表示した記録紙及びＯＨＰ用紙の順に排出トレイ３２に排出されることが認められる。 
　　(ア)　モード及び必要枚数の設定（Ｓ１〜Ｓ５） 
　　(イ)　プレスキャン（Ｓ６〜Ｓ１２） 
　　(ウ)　記録紙１への記録（Ｓ１３〜Ｓ２２） 
　　(エ)　ＯＨＰ紙の残り必要枚数（＝２）の判定（Ｓ２３） 
　　(オ)　ＯＨＰ用紙１への記録（Ｓ２４〜Ｓ４２） 
　　(カ)　会議資料用の残り必要枚数（＝４）の判定（Ｓ４３） 
　　(キ)　記録紙２への記録（Ｓ１３〜Ｓ２２） 
　　(ク)　ＯＨＰ紙の残り必要枚数（＝１）の判定（Ｓ２３） 
　　(ケ)　ＯＨＰ用紙２への記録（Ｓ２４〜Ｓ４２） 
　　(コ)　会議資料用の残り必要枚数（＝３）の判定（Ｓ４３） 
　　(サ)　記録紙３への記録（Ｓ１３〜Ｓ２２） 
　　(シ)　ＯＨＰ紙の残り必要枚数（＝０）の判定（Ｓ２３） 
　　(ス)　光学系リターン（Ｓ４４〜Ｓ４９） 
　　(セ)　会議資料用の残り必要枚数（＝２）の判定（Ｓ４３） 
　　(ソ)　記録紙４への記録（Ｓ１３〜Ｓ２２） 
　　(タ)　ＯＨＰ紙の残り必要枚数（＝０）の判定（Ｓ２３） 
　　(チ)　光学系リターン（Ｓ４４〜Ｓ４９） 
　　(ツ)　会議資料用の残り必要枚数（＝１）の判定（Ｓ４３） 
　　(テ)　記録紙５への記録（Ｓ１３〜Ｓ２２） 
　　(ト)　ＯＨＰ紙の残り必要枚数（＝０）の判定（Ｓ２３） 
　　(ナ)　光学系リターン（Ｓ４４〜Ｓ４９） 
　　(ニ)　会議資料用の残り必要枚数（＝０）の判定（Ｓ４３） 
　
　そうすると、刊行物１記載の発明においては、動作Ｂ（記録紙への画像記録を会議資料用の必要枚数につき行う動作）に相当するのは、「Ｓ１３〜Ｓ２２→Ｓ２３→Ｓ４４〜Ｓ４９→Ｓ４３→Ｓ１３」を繰り返す動作であると考えられるところ、当該動作は独立した手順とされておらず、Ｓ２３のＯＨＰ紙の残り必要枚数の判定結果によって、動作Ａ′（Ｓ２４〜Ｓ４２）へ手順が分岐し、結局、両動作は並列的に結合されているということができる。このため、動作Ａ′と動作Ｂとは、それぞれが独立して完結することなく、その一部が交互に実行され、その結果として、排出トレイ３２への排出順序は、必要枚数分の記録紙の間にＯＨＰ用紙が入り込んだ状態となっており、ＯＨＰ用紙と必要枚数分の記録紙とを、それぞれのセットとして得ることもできない。そして、このことは、露光部の往復動を利用して動作Ａ′と動作Ｂを実行するという刊行物１記載の発明の根本的な制御方法に由来するものであるから、両者を直列的に実行することは、刊行物１記載の発明の想定するものではなく、刊行物１が、動作Ａ′と動作Ｂを直列的に実行するように制御するという技術思想を開示するものとはいえない。 
　したがって、刊行物１記載の発明は、動作Ａ′と動作Ｂとを「一連に実行する制御手段」を備えるものではないというべきである。 』
　
(c）相違点１について、本件発明１と引用発明１とを上記認定された技術内容に基づいて対比・判断すると、
　本件発明１では「画像記録されたＯＨＰ用紙を排出する動作」と、「合紙とは別の用紙へのＯＨＰ用紙の画像と同一画像の画像記録を会議資料用の必要枚数につき行う動作」との２つの動作を直列的に一連に実行する制御手段を有するのに対し、引用発明１では、前記２つの動作を並列的に実行しているものとして把握されるものであって、直列的に一連に実行する制御手段を有するものとはなっていない。
　また、刊行物２の記載について検討しても、刊行物２には、ＯＨＰ用紙と間紙とを交互に排出する作像装置が記載されているのみであって、ＯＨＰ用紙への画像形成と普通紙への画像形成とを一連に実行する点については記載も示唆もされていない。
　
　前示のとおり、刊行物１及び刊行物２には、本件発明１の本質的な構成要件である「画像記録されたＯＨＰ用紙と合紙を交互に排出する動作と、普通紙への画像記録を設定枚数だけ行う動作とを、一連に実行する制御手段」に相当する構成要件についての記載や示唆は無く、また、両刊行物の記載から、具体的に本件発明１の構成を容易に想到する根拠は見あたらない。
　そして、本件発明１は、上記の構成要件に起因して、ＯＨＰ合紙機能が選択された場合には、画像記録されたＯＨＰ用紙と、合紙が交互に排出されてＯＨＰ合紙が行われ、更に、普通紙への画像記録が設定枚数だけ行われるので、ＯＨＰ用紙を作成する際に、同時に、会議用の資料として用いられるコピーを作成できるという効果を奏するものである。
　よって、他の相違点２については検討するまでもなく、本件発明１が上記刊行物１、２の記載から当業者が容易に発明をすることができたということはできない。
　
(2）請求項２に係る発明について
　本件発明１と請求項２に係る発明（以下、「本件発明２」という。）とは、本件発明１では選択されたサイズの合紙が用いられるのに対し、本件発明２では選択されたトレイの合紙が用いられる点で相違するのみであるから、本件発明２についても、本件発明１におけると同様に、当業者が容易に発明できたものとは認められない。
　
３．４　むすび
　以上のとおりであるから、特許異議の申し立ての理由及び証拠によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年５月２５日（２００１．５．２５）
【訂正の要旨】
訂正の要旨
　特許第２９９３１４１号の特許明細書を本件訂正請求書に添付された訂正明細書のとおりに訂正する。すなわち、
（１）　特許請求の範囲の請求項１の記載を以下のとおり訂正する。
「【請求項１】　ＯＨＰ用紙と合紙を交互に排出するＯＨＰ合紙機能を備えた画像記録装置において、合紙として用いる用紙のサイズを選択する合紙サイズ設定ボタンと、ＯＨＰ合紙機能が選択されたことを条件として、画像記録されたＯＨＰ用紙と前記合紙サイズ設定ボタンで選択されたサイズの合紙を交互に排出する動作と、前記合紙とは別の用紙へのＯＨＰ用紙の画像と同一画像の画像記録を会議資料用の必要枚数につき行う動作とを、一連に実行する制御手段と、を有する画像記録装置。」
（２）　特許請求の範囲の請求項２の記載を以下のとおり訂正する。
「【請求項２】　ＯＨＰ用紙と合紙を交互に排出するＯＨＰ合紙機能を備えた画像記録装置において、合紙として用いる用紙のトレイを選択する合紙トレイ設定ボタンと、ＯＨＰ合紙機能が選択されたことを条件として、画像記録されたＯＨＰ用紙と前記合紙トレイ設定ボタンで選択されたトレイの合紙を交互に排出する動作と、前記合紙とは別の用紙へのＯＨＰ用紙の画像と同一画像の画像記録を会議資料用の必要枚数につき行う動作とを、一連に実行する制御手段と、を有する画像記録装置。」
（３）　特許明細書の段落【０００４】の記載を以下のとおり訂正する。
「【０００４】【課題を解決するための手段】　上記発明の目的は次の構成によリ達成される。すなわち、請求項１の発明は、ＯＨＰ用紙と合紙を交互に排出するＯＨＰ合紙機能を備えた画像記録装置において、合紙として用いる用紙のサイズを選択する合紙サイズ設定ボタンと、ＯＨＰ合紙機能が選択されたことを条件として、画像記録されたＯＨＰ用紙と合紙サイズ設定ボタンで選択されたサイズの合紙を交互に排出する動作と合紙とは別の用紙へのＯＨＰ用紙の画像と同一画像の画像記録を会議資料用の必要枚数につき行う動作とを、一連に実行する制御手段とを有する構成にある。また、請求項２の発明は、ＯＨＰ用紙と合紙を交互に排出するＯＨＰ合紙機能を備えた画像記録装置において、合紙として用いる用紙のトレイを選択する合紙トレイ設定ボタンと、ＯＨＰ合紙機能が選択されたことを条件として、画像記録されたＯＨＰ用紙と合紙トレイ設定ボタンで選択されたトレイの合紙を交互に排出する動作と、合紙とは別の用紙へのＯＨＰ用紙の画像と同一画像の画像記録を会議資料用の必要枚数につき行う動作とを、一連に実行する制御手段とを有する構成にある。」
（４）　特許明細書の段落【０００２】を以下のとおり訂正する。
「【０００２】　【従来の技術】
　ＯＨＰ（ｏｖｅｒ　ｈｅａｄ　ｐｒｏｊｅｃｔｏｒ用ｐａｐｅｒ）用紙に原稿をコピーしてＯＨＰを作成し、作成された各ＯＨＰ上に自動的に白紙をセットする機能をＯＨＰ合紙（あいし）機能という。この機能を有する複写機は、次のような手順でＯＨＰ合紙作成作業を実行していた。まず、ＯＨＰ用紙を複写機本体の複数の用紙トレイのうちで、後述の合紙トレイを除いたいずれかの用紙トレイにセットしておき、ユーザーは手動でＯＨＰ用紙のある用紙トレイをコンソールバネル上のボタンで選択し、これに原稿のコピーを行う。作成されたＯＨＰが排出トレイに排出された後に、特定の用紙トレイ中の用紙を合紙として用いるためにコピーをしないで排出トレイに排出する。このようなＯＨＰ合紙機能の一例として、特開平１‐１１７１４１号公報には、自動間紙モードセレクトキーと、自動間紙モードにおいて使用される間紙を有するカセットを選択する間紙給紙部選択キーとを備えた作像装置が開示されている。」と訂正する。
（５）　特許明細書の段落【０００６】を以下のとおり訂正する。
「【０００６】【実施例】　本発明の一実施例を図面と共に説明する。なお、本実施例は複写機に適用したもので、ベースマシンに両面自動原稿送り装置（以下、ＤＡＤＦという。）、ソータなどの付属装置が組み合わされて構成されるものである。ここで、ベースマシンとは、一段以上の用紙トレイとマニュアルフィード用の手差しトレイを備え、プラテンガラス上に原稿をマニュアルでセットし、コンソールパネルにより設定したコピー条件でジョブを実行することのできる装置である。」
（６）　特許明細書の段落【０００７】を以下のとおり訂正する。
「【０００７】　複写機は、図１に示すように、ベースマシン１にＤＡＤＦ２、ソータ３が取付けられており、このベースマシン１はコンソールパネル４によって設定されたジョブに応じて付属装置を含む機構部を制御し、ＤＡＤＦ２で送られた原稿から読み取った画像処理を基に用紙トレイ部５から供給される指定サイズの用紙に対して画像処理を施した後、排紙処理を実行すると共に、ソータ３において画像処理された用紙の仕分けを行うように構成されている。」
（７）　特許明細書の段落【０００８】を以下のとおり訂正する。
「【０００８】　また、複写機の概略を図２を用いて説明する。ベースマシン１内には感光ドラム７が配置されている。図において、感光体８は感光ドラム７外周面に層状に形成されている。この感光ドラム７は、矢印方向に回転するように図示しない駆動装置に連結されている。感光ドラム７の外周には、チャージコロトロン９、帯電除去装置１０、現像器１１，１２、転写コロトロン１３およびクリーニング装置１５が配置されている。なお、帯電除去装置１０は不要な複写画像が用紙に転写されないように消し込むためにチャージコロトロン９で帯電した感光体８の一部の帯電を除去するものである。」
（８）　特許明細書の段落【０００９】を以下のとおり訂正する。
「【０００９】　この複写機においては、感光ドラム７が矢印方向に回転するにつれて、感光体８がチャージコロトロン９によって一様に帯電された後、露光箇所１６で光の照射を受け静電潜像が形成される。露光箇所１６には、ベースマシン１の上面に配置されたプラテンガラス１７上に載置された図示しない原稿の光像が入射されるようになっている。このために、露光ランプ１９と、これによって照明された原稿面の反射光を伝達する複数のミラー２０および光学レンズ２１とが配置されており、このうち所定のものは原稿の読み取りのためにスキャンされるようになっている。静電潜像が形成された感光体８は、その後、現像器１１，１２で現像される。ここで感光体８上に形成されたトナー像は、転写コロトロン１３により用紙上に転写され、ヒートロール２３およびプレッシャロール２４間で熱定着されて搬出される。一方、感光体８はクリーニング装置１５によりクリーニングされ再使用に供される。」
（９）　特許明細書の段落【００１０】を以下のとおり訂正する。
「【００１０】　一方、ベースマシン１に配置されている用紙トレイ２５に収容されている用紙２７あるいは手差しトレイ２８に沿って手差しで送り込まれる用紙２７は、送りロール２９あるいは３１によって送り出され、搬送ロール３２に案内されて感光ドラム７と転写コロトロン１３の間を通過する。このとき、トナー像が用紙２７上に転写される。転写後の用紙２７はヒートロール２３およびプレッシャロール２４の間を通過して熱定着される。そして、搬送ロール３２の間を通過して排出トレイであるソータ３に搬出される。なお、中間トレイ３３は両面または多重コピー用に用いられるものである。」
（１０）　特許明細書の段落【００１２】を以下のとおり訂正する。
「【００１２】　図４は複写機のハードウェア構成が示されている。ユーザーインタフェース（以下、ＵＩと言う。）３９はコンソールパネル４にあるボタンの操作による設定／入カされたデータ処理を実行し、本機システムを管理するＭＡＩＮ　ＰＷＢＡ（以下「ＭＡＩＮ系」と称す）４０に入カデータを送ると共に、ユーザヘの表示を行う。ＤＡＤＦコントローラ４１は、原稿の両面から画情報を読み取るために、この読み取りタイミングに合わせて原稿をプラテンガラス１７上に搬送するための制御を行う。」
（１１）　特許明細書の段落【００１３】を以下のとおり訂正する。
「【００１３】　光学的読取リ装置（ＯＰＴ）コントローラ４２は、プラテンガラス１７上に搬送された原稿からユーザが指定した画情報の光学的な読取り制御を行う。帯電除去装置（ＩＳＩＬ）コントローラ４３は、原稿の画情報から不要な部分を消し込む処理、原稿の周辺を消す枠消し処理、原稿の画情報の中からの特定情報描出などの編集処理の制御を行う。画像記録装置（ＩＯＴ）コントローラ４４は、原稿から読み取られた画情報を基に画像処理を実行する際に、用紙２７の搬送制御、紙づまり検知およびＺｅｒｏ回りである現像プロセス制御を管理する。」
（１２）　特許明細書の段落【００１５】を以下のとおり訂正する。
「【００１５】　ソータコントローラ４６は、例えば２０ビンソータをＩＯＴからの仕分け指令によリ駆動し、ベースマシン１から搬出される画像処理後の用紙２７を指定されたビンに貯えるための制御を行う。スティブルソータコントローラ４７は、ＩＯＴからの綴じ込み仕分け指令によりビンに貯えられた用紙２７を丁合した後にスティブルで綴じるための制御を行う。ライトレンズマネジャー（以下、ＬＬＭという。）４８は、システムの全体を統括管理しており、主に原稿の画像処理と用紙２７の搬送を時間的に一致させるためのシステムタイミング制御やユーザが設定するコピーモードなどのジョブ管理を行う。」
訂正事項ｍ
（１３）　特許明細書の段落【００１７】を以下のとおり訂正する。
「【００１７】　上記のハードウェアは各機能ごとに独立したＣＰＵを備え、このＣＰＵと周辺ＬＳＩによリ電気回路基板ＰＷＢＡが構成されている。ここで、ＬＬＭ４８，ＳＣＰ４９およびＩＯＴはベースマシン１の制御系の中枢を成すもので、各機能を分担するＣＰＵと周辺ＬＳＩにより主制御回路基板４０を構成している。シリアルデータ通信プロセッサ（ＳＣＰ）４９は、Ｕ１３９，ＤＡＤＦ２，ＯＰＴおよびＩＳＩＬ１Ｏとのデータの送受をシリアル通信で行うと共に、ＬＬＭ４８との間のデータをパラレル通信によりやり取りするためのデータ処理を行う。特にＳＣＰ４９とＬＬＭ４８とのデータのやり取りは、ＳＣＰ４９に内蔵されているデュアルポートＲＡＭ（図示せず。）を通して行われる。すなわち、ＬＬＭ４８は自分のアドレスマップ上に割り付けられたＳＣＰ４９のデュアルポートＲＡＭをリード／ライトし、このＲＡＭをＳＣＰ４９がリード／ライトすることで情報の伝達を行っている。」
（１４）　特許明細書の段落【００１８】を以下のとおり訂正する。
「【００１８】　次に本実施例の特徴部分であるＯＨＰ合紙機能について説明する。本実施例のベースマシン１は手差しトレイ（ＭＳＩ）２８と転写コロトロン１３およびソータ３の排出トレイがほぼ同一平面上にあるため、厚手の用紙であるＯＨＰは専ら、手差しトレイ２８よリベースマシン１の転写コロトロン１３へ搬送させる。そして、合紙はＯＨＰサイズと同じサイズの用紙２７がセットされている図２の用紙トレイ２５のいずれかをユーザがコンソールパネル４の操作ボタンによリ選択する。ＯＨＰのサイズはその使用頻度から本実施例ではＡ４Ｌ，Ａ４Ｓサイズに限定している。そして、まず、合紙用のサイズの用紙２７を該当する用紙トレイ２５から画像処理都を経由して、コピーをしないで排出トレイのあるソータ３に出力する。次いで、手差しトレイ２８から搬送されるＯＨＰ用紙にプラテンガラス１７上の原稿のコピーをとり、ＯＨＰとして合紙上に出力する。この動作をＯＨＰ用原稿のすべてについて繰り返す。」
（１５）　特許明細書の段落【００１９】を以下のとおり訂正する。
「【００１９】　コンソールパネル４のＬＣＤ３６上に図５に示す応用画面を呼び出し、「ＯＨＰ合紙」の機能ボタン７０を押すことでＯＨＰ合紙モードに入ることができる。このＯＨＰ合紙モードの設定情報はＵＩ３９から、図４のＬＬＭ４８に出力され、ＬＬＭ４８のコントロール下でＩＯＴコントローラ４４によりベースマシン１が動作する。また、図６にＵＩ３９におけるＯＨＰ合紙機能選択時のフローチャートを示し、図７と図８にＬＬＭ４８におけるフローチャートを示す。また、図９にＬＬＭ４８とＩＯＴコントローラ４４とのＯＨＰ合紙の設定枚数１枚のときのシーケンスフロー図を示す。なお、ここで、ＬＥＦ（Ｌｏｎｇ　Ｅｄｇｅ　Ｆｅｅｄ）は長辺側を先頭にした用紙搬送方式であり、ＳＥＦ（Ｓｈｏｒｔ　Ｅｄｇｅ　Ｆｅｅｄ）は短辺側を先頭にした用紙搬送方式である。また、このシーケンスフロー図にはＯＨＰ合紙機能の主要なシーケンスのみを示している。」
（１６）　特許明細書の段落【００２１】を以下のとおり訂正する。
「【００２１】　図７、図８はＬＬＭ４８におけるスタンバイ時のフローチャートであるが、ＯＨＰ合紙機能が選択されると手差しトレイ２８の用紙センサ（図示せず。）にＯＨＰ用紙があり（ステップ１２）、また、ＯＨＰ用紙と同一用紙サイズの合紙用の用紙２７がある用紙トレイ設定ボタン３５が押されて、その指定されたサイズの用紙が用紙トレイ２５中にあるかどうかの判断をする（ステップ１３）。なお、本実施例では合紙に用いる用紙２７のセットされている用紙トレイ２５をＵＩ３９が自動的に選択するが、ユーザが設定できるのは合紙の大きさのみでその搬送方向までは設定できない場合がある。その場合には、ＤＡＤＦ２を用いると、ＤＡＤＦ２は原稿のサイズのみならずその搬送方向（ＳＥＦかＬＥＦか）を検出できるので、ＤＡＤＦ２がプラテンガラス１７上に引き込んだ原稿とＯＨＰ用紙と同一搬送方向であるはずの合紙用の用紙２７の搬送方向が互いに相違していることが分かると、ＬＬＭ４８はベースマシン１をＮｏｔ　Ｒｅａｄｙ状態とし、ＵＩ３９にはＮｏ　Ｐａｐｅｒメッセージを出させる（ステップ１８，１９）。」
（１７）　特許明細書の段落【００２３】を以下のとおり訂正する。
「【００２３】　また、合紙として用いる用紙２７の用紙トレイ２５があれば、それをＩＯＴコントローラ４４とＵＩ３９に知らせる。なお、手差しトレイ２８にセットされるＯＨＰ用の用紙２７とプラテンガラス１７上の原稿のサイズが互いに異なるときは、ＯＨＰ用紙と同一サイズの合紙用の用紙２７の情報を基にＯＨＰ用紙のサイズに合致するように、ＵＩ３９はコピー倍率を自動的に選択して設定することもできる（ステップ１７）。そして、ユーザがコピースタートボタン３５１を押すと、ＬＬＭ４８はベースマシン１にコピーの実行に移行させる（ステップ２３）。」
（１８）　特許明細書の段落【００２４】を以下のとおり訂正する。
「【００２４】　そして、図９に示すコピー時のＬＬＭ４８の制御フローに進む。図８のステップ２３のコピーへの移行命令により、図９のステップ２４の合紙フィード開始をＩＯＴコントローラ４４に指令する。このとき、露光ランプ１９のスキャンは開始するが合紙にコピーがされないように感光体８のチャージはしない、なお、ここで、スキャンを行うのは、合紙搬送時のみスキャンを中止させることは、ベースマシン１の各動作部の動作のタイミングが合わせにくいので、それを防ぐために合紙搬送時もスキャンを行わせる。」
（１９）　特許明細書の段落【００２５】を以下のとおり訂正する。
「【００２５】　合紙が排出トレイに排出されるとトレイを手差しトレイ（ＭＳＩ）２８に変えるようにＩＯＴコントローラ４４に送信する。そして、その旨の表示をＵＩ３９にするように送信する。このとき、コピー枚数用メータ（図示せず。）のビリングアップを中止させる。そして、ＯＨＰ用紙２７の手差しトレイ２８から画像処理部への搬送を開始させる。このときは、露光ランプ１９のスキャンと同時に感光体８のチャージも実行させる。そして、原稿面のコピーをしたＯＨＰが排出されると、再び用紙トレイ２５を合紙用のトレイに変えＩＯＴコントローラ４４とＵＩ３９に送信する。このときはコピー枚数用メータのビリングアップを行う。そして、ＤＡＤＦ２を用いる場合はすべての原稿のＯＨＰ合紙作成作業が終了するまで上記作業を繰り返す。」
（２０）　特許明細書の段落【００２６】を以下のとおり訂正する。
「【００２６】　次に会議等で用いる資料作成時のＬＬＭ４８のＯＨＰ合紙機能のフローチャートを図１１に示す。ステップ４０□４４は前記図９と同一手順を示す。そして、各原稿についてのＯＨＰ合紙作業が終了しても、設定枚数が１以上あると、各原稿とも設定枚数２枚目からはＯＨＰ用紙２７へのコピーは中止し、合紙用の用紙２７に当該原褐のコピーを行うために合紙トレイからのみ用紙をフィードする。このときは、露光ランプ１９のスキャン、感光体８のチャージ、排出トレイのソータ３の稼働をＩＯＴコントローラ４４に指示する。このときＯＨＰと合紙はソータ３のノンソートビン３０１に出力し、残りの複数の会議資料用のコピーされた用紙２７はソートビン３０２またはステイブル機能を選択して出力させることもできる。なお、図２に示すソータ３にはステイプラ３０３が用意されている。こうして、ＯＨＰ合紙モード中に複数枚の各原稿のコピーを行うことができる。」
（２１）　特許明細書の段落【００２７】を以下のとおり訂正する。
「【００２７】　ＬＬＭ４８から、まず、ＯＨＰ合紙モードであることおよび合紙用の用紙トレイ２５の番号をＩＯＴコントローラ４４に出カする。ここで、ベースマシン１のコピースタートボタン３５１が押されると、ＬＬＭ４８は合紙用の用紙トレイ２５から合紙を画像処理部に搬送する命令をＩＯＴコントローラ４４に送信する。そして、合紙が図２に示すフィードセンサ７１を通過したこと、および、レジゲート（図示せず。）に到達したことをレジゲートセンサ７２で検出し、ＩＯＴコントローラ４４はＬＬＭ４８に送信する。その結果の原稿のスキャニングが可能になるので、ＬＬＭ４８はＩＯＴコントローラ４４にレジゲートを開いて合紙の搬送をさせる。このとき、ＯＰＴコントローラ４２の制御下には露光ランプ１９のスキャンを開始させる。ただし、前記したように合紙分についての感光体８のチャージはオフにしておく。合紙の後端をフューザ排出センサ７３が検出すると、そのことをＩＯＴコントローラ４４はＬＬＭ４８に出力する。次にＯＨＰ用紙のコピーモードであること、そしてＯＨＰ用紙トレイの番号、ＯＨＰ用紙のフィード命令をＩＯＴコントローラ４４に送信する。」
（２２）　特許明細書の段落【００２８】を以下のとおり訂正する。
「【００２８】　ＩＯＴコントローラ４４は、前記合紙と同様の手順でＯＨＰ用紙のフィード情報をＬＬＭ４８に送り、また、ＬＬＭ４８はＩＯＴコントローラ４４にコピー命令を送る。このとき、コピー枚数メータ（図示せず。）のビリングアップを行うため、ＬＬＭ４８はビリングアップ命令をＩＯＴコントローラ４４に送る。また、上記ＯＨＰ合紙機能でコピー動作中にジャムが発生した場合に何ページまでコピーがされていたかが一目でわからないので、合紙またはＯＨＰにアノテータ機能を使用してページ番号をプリントするようにしてもよい。なお、原稿サイズ検知手段は、本実施例では図示しないフォトセンサがプラテンガラス１７の下部から原稿を照射することで行っている。また、ＤＡＤＦ２の場合は、原稿サイズ検知手段はＤＡＤＦ２内に設けられた原稿サイズセンサ（図示せず。）等である。」
（５４）【発明の名称】
画像記録装置
（５７）【特許請求の範囲】
　【請求項１】　ＯＨＰ用紙と合紙を交互に排出するＯＨＰ合紙機能を備えた画像記録装置において、
　合紙として用いる用紙のサイズを選択する合紙サイズ設定ボタンと、
　ＯＨＰ合紙機能が選択されたことを条件として、画像記録されたＯＨＰ用紙
と
動作と、
動作とを、一連に実行する
を有する画像記録装置。
　【請求項２】　ＯＨＰ用紙と合紙を交互に排出するＯＨＰ合紙機能を備えた画像記録装置において、
　合紙として用いる用紙のトレイを選択する合紙トレイ設定ボタンと、
　ＯＨＰ合紙機能が選択されたことを条件として、画像記録されたＯＨＰ用紙
と
動作と、
動作とを、一連に実行する
を有する画像記録装置。
【発明の詳細な説明】
　【０００１】
　【産業上の利用分野】
　本発明は、複写機、ファクシミリ等の画像記録装置に関し、特にＯＨＰ合紙機能を持つ画像記録装置に関する。
　【０００２】
　【従来の技術】
　ＯＨＰ（ｏｖｅｒ　ｈｅａｄ　ｐｒｏｊｅｃｔｏｒ用ｐａｐｅｒ）用紙に原稿をコピーしてＯＨＰを作成し、作成された各ＯＨＰ上に自動的に白紙をセットする機能をＯＨＰ合紙（あいし）機能という。この機能を有する複写機は、次のような手順でＯＨＰ合紙作成作業を実行していた。
　まず、ＯＨＰ用紙を複写機本体の複数の用紙トレイのうちで、後述の合紙トレイを除いたいずれかの用紙トレイにセットしておき、
ユーザ
　このようなＯＨＰ合紙機能の一例として、特開平１−１１７１４１号公報には、自動間紙モードセレクトキーと、自動間紙モードにおいて使用される間紙を有するカセットを選択する間紙給紙部選択キーとを備えた作像装置が開示されている。
　【０００３】
　【発明が解決しようとする課題】
　しかし、上記特開平１−１１７１４１号公報に開示された作像装置は、ＯＨＰ合紙機能が選択されたことを条件として、画像記録されたＯＨＰ用紙と、合紙を交互に排出するものの、その際、会議用コピーとして使用する合紙とは別の用紙へのＯＨＰ用紙の画像と同一画像の画像記録を会議資料用の必要枚数につき行う機能を有しておらず、作業効率に問題があった。
　そこで、本発明は、合紙機能が選択された場合に、会議用資料を作成する際の作業効率を向上させる画像記録装置を提供することを目的とする。
　【０００４】
　【課題を解決するための手段】
　上記発明の目的は次の構成によリ達成される。すなわち、請求項１の発明は、ＯＨＰ用紙と合紙を交互に排出するＯＨＰ合紙機能を備えた画像記録装置において、合紙として用いる用紙のサイズを選択する合紙サイズ設定ボタンと、ＯＨＰ合紙機能が選択されたことを条件として、画像記録されたＯＨＰ用紙と合紙サイズ設定ボタンで選択されたサイズの合紙を交互に排出する
動作と
動作とを、一連に実行する
動作と
動作とを、一連に実行する
　【０００５】
　【作用】
　ＯＨＰ用紙を作成する際に、同時に、会議用の資料も作成でき、作業効率を大幅に向上させることができる。
　また、合紙として用いる用紙のサイズ、または用紙トレイをユーザが選択できるので、ユーザの希望に応じ、ＯＨＰ用紙のサイズまたは搬送方向と相違する合紙を設定することも可能となる。
　【０００６】
　【実施例】
　本発明の一実施例を図面と共に説明する。なお、本実施例は複写機に適用したもので、
ベース
ベース
　【０００７】
　複写機は、図１に示すように、
ベース
ベース
パネル
　【０００８】
　また、複写機の概略を図２を用いて説明する。
ベース
　【０００９】
　この複写機においては、感光ドラム７が矢印方向に回転するにつれて、感光体８がチャージコロトロン９によって一様に帯電された後、露光箇所１６で光の照射を受け静電潜像が形成される。露光箇所１６には、
ベース
ランプ
　静電潜像が形成された感光体８は、その後、現像器１１，１２で現像される。ここで感光体８上に形成されたトナー像は、転写コロトロン１３により用紙上に転写され、ヒートロール２３およびプレッシャロール２４間で熱定着されて搬出される。一方、感光体８はクリーニング装置１５によりクリーニングされ再使用に供される。
　【００１０】
　一方、
ベース
　【００１１】
　コンソールパネル４は、図３に示すように、同パネル４上に配置された用紙サイズ、倍率、複写枚数などの設定／入カ、スタート、ストップ、割込み、設定確認などの操作を行うためのハードキーとしてのボタン３５と液晶ディスプレイ（以下、ＬＣＤという。）３６上に表示される機能に対応して表示部分に設けられたタッチキーとしてのボタン（図示せず。）を備えている。ＬＣＤ３６は３２０×２００ｄｏｔ（１ｄｏｔ＝０．３３×０．３３ｍｍ）ＬＣＤの画素を有し、このＬＣＤ３６上には１０×７Ｔｉ１ｅ（１Ｔｉ１ｅ＝３２×２４ｄｏｔ）のタッチパネルキーで構成されるタッチパネル（図示せず。）が配置されている。そこで、ＬＣＤ３６に表示される各種機能に対応したボタン表示位置を押すことにより、その機能に対応したタッチパネルキーが作動する。そのタッチパネルキーは主に使用頻度を基準に三種類に分けられるＬＣＤ画面（基本画面、応用画面、専門画面）に表示される互いに異なる機能に対応している。また、コンソールパネル４にはハードキー３５を操作したときの選択、設定の状態がＬＥＤランプ３７などにより表示されている。コンソールパネル４のボタンの機能については後述する。
　【００１２】
　図４は複写機のハードウェア構成が示されている。ユーザーインタフェース（以下、ＵＩと言う。）３９はコンソールパネル４にあるボタンの操作による設定／入カされた
データ
ユーザ
　ＤＡＤＦコントローラ４１は、原稿の両面から画情報を読み取るために、この読み取りタイミングに合わせて原稿をプラテンガラス１７上に搬送するための制御を行う。
　【００１３】
　光学的読取リ装置（ＯＰＴ）コントローラ４２は、プラテンガラス１７上に搬送された原稿から
ユーザ
　帯電除去装置（ＩＳＩＬ）コントローラ４３は、原稿の画情報から不要な部分を消し込む処理、原稿の周辺を消す枠消し処理、原稿の画情報の中からの特定情報描出などの編集処理の制御を行う。画像記録装置（ＩＯＴ）コントローラ４４は、原稿から読み取られた
画情報
　【００１４】
　特定トレイ（ＤＤＭ／ＴＲＡＹ［Ｘ］）コントローラ４５は、ＩＯＴからの両面画像処理に関する指令に基づいて片面の画像処理が既に行われている用紙２７を反転させてその背面に画像処理を施すために、次のＺｅｒｏタイミングまで一時待機させるように中間トレイ３３を制御したり、またＩＯＴからの特別トレイ動作指令によリ、用紙パスの関係から制御上、他のトレイとは別に取り扱われる特別トレイ［Ｘ］、例えば最下段トレイ２５の制御を行う。
　【００１５】
　ソータコントローラ４６は、例えば２０ビンソータをＩＯＴからの仕分け指令によリ駆動し、
ベース
　ライトレンズマネジャー（以下、ＬＬＭという。）４８は、システムの全体を統括管理しており、主に原稿の画像処理と用紙２７の搬送を時間的に一致させるためのシステムタイミング制御やユーザが設定するコピーモードなどのジョブ管理を行う。
　【００１６】
　シリアルデータ通信プロセッサ（以下、ＳＣＰという。）４９は、ＵＩ３９，ＤＡＤＦ２，ＯＰＴおよびＩＳＩＬ１０とのデータの送受をシリアル通信で行うと共に、ＬＬＭ４８との間のデータをパラレル通信によりやり取りするためのデータ処理を行う。特にＳＣＰ４９とＬＬＭ４８とのデータのやり取りは、ＳＣＰ４９に内蔵されているデュアルポートＲＡＭ（図示せず。）を通して行われる。すなわち、ＬＬＭ４８は自分のアドレスマップ上に割り付けられたＳＣＰ４９のデュアルポートＲＡＭをリード／ライトし、このＲＡＭをＳＣＰ４９がリード／ライトすることで情報の伝達を行っている。
　【００１７】
　上記のハードウェアは各機能ごとに独立したＣＰＵを備え、このＣＰＵと周辺ＬＳＩにより電気回路基板ＰＷＢＡが構成されている。ここで、ＬＬＭ４８，ＳＣＰ４９およびＩＯＴは
ベース
　シリアルデータ通信
プロセッサ
　【００１８】
　次に本実施例の特徴部分であるＯＨＰ合紙機能について説明する。
　本実施例の
ベース
ユーザ
ガラス
　【００１９】
　コンソールパネル４のＬＣＤ３６上に図５に示す応用画面を呼び出し、「ＯＨＰ合紙」の機能ボタン７０を押すことでＯＨＰ合紙モードに入ることができる。このＯＨＰ合紙モードの設定情報はＵＩ３９から、図４のＬＬＭ４８に出力され、ＬＬＭ４８のコントロール下でＩＯＴコントローラ４４により
ベース
　【００２０】
　まず、図６のＵＩ３９におけるＯＨＰ合紙機能選択時のフローチャートの説明をする。
　ＯＨＰ合紙機能ボタン７０が押されるとＵＩ３９はＯＨＰ合紙が選択されたことをＬＬＭ４８に知らせる。手差しトレイ２８には原稿サイズ検知機能がないのでＯＨＰのサイズを検出することができない。そこで、ユーザにＯＨＰ用紙と同一サイズの用紙２７を合紙として指定させるために、その用紙２７のある用紙トレイ２５を選択させる。ユーザによリＯＨＰの用紙サイズ（例えばＡ４ＬＥＦ）と同一サイズの用紙を示すコンソールパネル４上のボタン３５が押されるとＵＩ３９はそのサイズの用紙がセットされている用紙トレイ２５を捜す。なお、ＵＩ３９には各用紙トレイ２５の情報が必ず送信されているので、ＵＩ３９はＡ４サイズの用紙がある用紙トレイ２５を捜すことができる。そして、その用紙トレイ２５があると当該トレイ２５のＬＥＤ３７とその用紙トレイ２５にある、例えばＡ４ＬＥＦ等の用紙サイズを示す表示部のバックライトが点灯し、その用紙トレイ２５の番号をＬＬＭ４８に知らせる。このとき、ＯＨＰ用紙と同一サイズの用紙２７がない場合には用紙トレイ２５用のＬＥＤを全て消灯させ、ＯＨＰ用紙と同一の用紙サイズ、例えば「Ａ４Ｓ」と「Ａ４Ｌ」を表示部のバックライトを点滅させ、またＬＣＤ３６上には「Ａ４ＳまたはＡ４Ｌを入れて下さい」と表示させる（ステップ１８〜１９）。
　【００２１】
　図７、図８はＬＬＭ４８におけるスタンバイ時のフローチャートであるが、ＯＨＰ合紙機能が選択されると手差しトレイ２８の用紙センサ（図示せず。）にＯＨＰ用紙があり（ステップ１２）、また、ＯＨＰ用紙と同一用紙サイズの合紙用の用紙２７がある用紙トレイ設定ボタン３５が押されて、その指定されたサイズの用紙が用紙トレイ２５中にあるかどうかの判断をする（ステップ１３）。なお、本実施例では合紙に用いる用紙２７のセットされている用紙トレイ２５をＵＩ３９が自動的に選択するが、
ユーザ
ガラス
ベース
　【００２２】
　また、手差しトレイ２８にＯＨＰ用の用紙２７がない場合あるいは合紙用の用紙２７の用紙トレイ２５がない場合はＬＬＭ４８はコピー動作をさせないで、ＵＩ３９に、例えば「ＯＨＰ用紙を手差しトレイにセットして下さい」または「Ａ４サイズ用紙を用紙トレイ２５に入れて下さい」と表示指令し、Ａ４サイズ用紙が挿入されるとＲｅａｄｙ状態に移行する。なお、本実施例では同一サイズのＳＥＦとＬＥＦ用紙が共に用紙トレイ２５にセットされているときには、自動倍率の選択設定が基本的にＳＥＦの方がＬＥＦに比べ、便利であるからＳＥＦを優先させて選択するようにしている。
　【００２３】
　また、合紙として用いる用紙２７の用紙トレイ２５があれば、それをＩＯＴコントローラ４４とＵＩ３９に知らせる。なお、手差しトレイ２８にセットされるＯＨＰ用の用紙２７とプラテン
ガラス
ベース
　【００２４】
　そして、図９に示すコピー時のＬＬＭ４８の制御フローに進む。図８のステップ２３のコピーへの移行命令により、図９のステップ２４の合紙フィード開始をＩＯＴコントローラ４４に指令する。このとき、
露光
べース
　【００２５】
　合紙が排出トレイに排出されるとトレイを手差しトレイ（ＭＳＩ）２８に変えるようにＩＯＴコントローラ４４に送信する。そして、その旨の表示をＵＩ３９にするように送信する。このとき、コピー枚数用メータ（図示せず。）のビリングアップを中止させる。そして、ＯＨＰ用紙２７の手差しトレイ２８から画像処理部への搬送を開始させる。このときは、
露光
　【００２６】
　次に会議等で用いる資料作成時のＬＬＭ４８のＯＨＰ合紙機能のフローチャートを図１１に示す。ステップ４０〜４４は前記図９と同一手順を示す。そして、各原稿についてのＯＨＰ合紙作業が終了しても、設定枚数が１以上あると、各原稿とも設定枚数２枚目からはＯＨＰ用紙２７へのコピーは中止し、合紙用の用紙２７に当該原褐のコピーを行うために合紙トレイからのみ用紙をフィードする。このときは、
露光
　【００２７】
　ＬＬＭ４８から、まず、ＯＨＰ合紙モードであることおよび合紙用の用紙トレイ２５の番号をＩＯＴコントローラ４４に出カする。ここで、
ベース
コピー
露光
　【００２８】
　ＩＯＴコントローラ４４は、前記合紙と同様の手順でＯＨＰ用紙のフィード情報をＬＬＭ４８に送り、また、ＬＬＭ４８はＩＯＴコントローラ４４にコピー命令を送る。このとき、コピー枚数メータ（図示せず。）のビリングアップを行うため、ＬＬＭ４８はビリングアップ命令をＩＯＴコントローラ４４に送る。
　また、上記ＯＨＰ合紙機能でコピー動作中にジャムが発生した場合に何
ページ
ページ
　なお、原稿サイズ検知手段は、本実施例では図示しないフォトセンサがプラテン
ガラス
　【００２９】
　【発明の効果】
　本発明によれば、ＯＨＰ用紙を作成する際に、同時に、会議用の資料も作成でき、作業効率を大幅に向上させることができる。また、合紙として用いる用紙のサイズ、または用紙トレイをユーザが選択できるので、ユーザの希望に応じ、ＯＨＰ用紙のサイズまたは搬送方向と相違する合紙を設定することも可能となる。
【図面の簡単な説明】
　【図１】
　本発明の一実施例に係る複写機の外観図である。
　【図２】
　複写機の断面図である。
　【図３】
　複写機のコンソールパネルの図である。
　【図４】
　複写機の制御ブロック図である。
　【図５】
　ＬＣＤのＯＨＰ合紙機能設定用画面である。
　【図６】
　ＵＩのＯＨＰ合紙機能選択時の制御フロー図である。
　【図７】
　ＵＩのＯＨＰ合紙機能選択時の制御フロー図である。
　【図８】
　ＬＬＭのＯＨＰ合紙機能選択時（始動時）の制御フロー図である。
　【図９】
　ＬＬＭのＯＨＰ合紙機能選択時（コピー時）の制御フロー図である。
　【図１０】
　ＯＨＰ合紙機能選択時のＬＬＭとＩＯＴのシーケンスフロー図である。
　【図１１】
　ＬＬＭの資料作成を兼ねたＯＨＰ合紙機能選択時（コピー時）の制御フロー図である。
　【符号の説明】
　１　　ベースマシン
　２　　ＤＡＤＦ
　４　　コンソールパネル
　２５　用紙トレイ
　３９　ＵＩ
　４４　ＩＯＴコントローラ
　４８　ＬＬＭ
　７０　ＯＨＰ合紙機能設定ボタン